【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
人体の体脂肪分布を測定する方法において、腹部皮下脂肪厚を測定し、該測定された腹部皮下脂肪厚から腹部皮下脂肪面積を求めることを特徴とする方法。
【請求項２】
人体の体脂肪分布を測定する方法において、腹部皮下脂肪厚および腹部周径囲を測定し、該測定された腹部皮下脂肪厚および腹部周径囲から腹部皮下脂肪面積を求めることを特徴とする方法。
【請求項３】
人体の体脂肪分布を測定する方法において、腹部皮下脂肪厚および腹部周径囲を測定し、該測定された腹部皮下脂肪厚および腹部周径囲から腹部内臓脂肪面積を求めることを特徴とする方法。
【請求項４】
人体の体脂肪分布を測定する方法において、腹部皮下脂肪厚および腹部周径囲を測定し、測定された腹部皮下脂肪厚から腹部皮下脂肪面積を求め、測定された腹部周径囲から腹部総脂肪面積を求め、これら腹部皮下脂肪面積および腹部総脂肪面積から腹部内臓脂肪面積を求めることを特徴とする方法。
【請求項５】
人体の体脂肪分布を測定する方法において、腹部皮下脂肪厚および腹部周径囲を測定し、測定された腹部皮下脂肪圧および腹部周径囲から腹部皮下脂肪面積を求め、測定された腹部周径囲から腹部総脂肪面積を求め、これら腹部皮下脂肪面積および腹部総脂肪面積から腹部内臓脂肪面積を求めることを特徴とする方法。
【請求項６】
前記腹部皮下脂肪厚は、超音波により測定する請求項１から５のうちのいずれか１つに記載の方法。
【請求項７】
前記腹部皮下脂肪厚は、スキンホールドキャリパーにより測定する請求項１から５のうちのいずれか１つに記載の方法。
【請求項８】
前記腹部内臓脂肪面積または腹部皮下脂肪面積を求めるのに、性別、年令、身長等の個人的パラメータに基づく補正を行う請求項１から７のうちのいずれか１つに記載の方法。
【請求項９】
人体の体脂肪分布を測定する装置において、腹部皮下脂肪厚を入力するための第１の入力手段と、この第１の入力手段からのデータに基づいて腹部皮下脂肪面積を演算するための演算手段とを備えることを特徴とする装置。
【請求項１０】
人体の体脂肪分布を測定する装置において、腹部皮下脂肪厚を入力するための第１の入力手段と、腹部周径囲を入力するための第２の入力手段と、前記第１の入力手段および第２の入力手段からのデータに基づいて腹部皮下脂肪面積を演算するための演算手段とを備えることを特徴とする装置。
【請求項１１】
人体の体脂肪分布を測定する装置において、腹部皮下脂肪厚を入力するための第１の入力手段と、腹部周径囲を入力するための第２の入力手段と、前記第１の入力手段および第２の入力手段からのデータに基づいて腹部内臓脂肪面積を演算するための演算手段とを備えることを特徴とする装置。
【請求項１２】
人体の体脂肪分布を測定する装置において、腹部皮下脂肪厚を入力するための第１の入力手段と、腹部周径囲を入力するための第２の入力手段と、前記第１の入力手段からのデータに基づいて腹部皮下脂肪面積を演算し、前記第２の入力手段からのデータに基づいて腹部総脂肪面積を演算し、且つ、これら腹部皮下脂肪面積および腹部総脂肪面積から腹部内臓脂肪面積を演算するための演算手段とを備えることを特徴とする装置。
【請求項１３】
人体の体脂肪分布を測定する装置において、腹部皮下脂肪厚を入力するための第１の入力手段と、腹部周径囲を入力するための第２の入力手段と、前記第１の入力手段および第２の入力手段からのデータに基づいて腹部皮下脂肪面積を演算し、前記第２の入力手段からのデータに基づいて腹部総脂肪面積を演算し、且つ、これら腹部皮下脂肪面積および腹部総脂肪面積から腹部内臓脂肪面積を演算するための演算手段とを備えることを特徴とする装置。
【請求項１４】
前記第１の入力手段は、超音波プローブを備える請求項９から１３のうちのいずれか１つに記載の装置。
【請求項１５】
前記第１の入力手段は、スキンホールドキャリパーを備える請求項９から１３のうちのいずれか１つに記載の装置。
【請求項１６】
性別、年令、身長等の個人的パラメータを入力する第３の入力手段をさらに備えると共に、前記演算手段が、前記腹部内臓脂肪面積または腹部皮下脂肪面積の演算において前記第３の入力手段からのデータに基づく補正を行う請求項９から１５のうちのいずれか１つに記載の装置。
【手続補正２】
【補正対象書類名】明細書
【補正対象項目名】０００６
【補正方法】変更
【補正の内容】
【０００６】
【課題を解決するための手段】
本発明の一つの観点によれば、人体の体脂肪分布を測定する方法において、腹部皮下脂肪厚を測定し、該測定された腹部皮下脂肪厚から腹部皮下脂肪面積を求めることを特徴とする方法が提供される。
【手続補正３】
【補正対象書類名】明細書
【補正対象項目名】０００７
【補正方法】変更
【補正の内容】
【０００７】
本発明の別の観点によれば、人体の体脂肪分布を測定する方法において、腹部皮下脂肪厚および腹部周径囲を測定し、該測定された腹部皮下脂肪厚および腹部周径囲から腹部皮下脂肪面積を求めることを特徴とする方法が提供される。
また、本発明のさらに別の観点によれば、人体の体脂肪分布を測定する方法において、腹部皮下脂肪厚および腹部周径囲を測定し、該測定された腹部皮下脂肪厚および腹部周径囲から腹部内臓脂肪面積を求めることを特徴とする方法が提供される。
【手続補正４】
【補正対象書類名】明細書
【補正対象項目名】０００８
【補正方法】変更
【補正の内容】
【０００８】
本発明のさらに別の観点によれば、人体の体脂肪分布を測定する方法において、腹部皮下脂肪厚および腹部周径囲を測定し、測定された腹部皮下脂肪厚から腹部皮下脂肪面積を求め、測定された腹部周径囲から腹部総脂肪面積を求め、これら腹部皮下脂肪面積および腹部総脂肪面積から腹部内臓脂肪面積を求めることを特徴とする方法が提供される。
また、本発明のさらに別の観点によれば、人体の体脂肪分布を測定する方法において、腹部皮下脂肪厚および腹部周径囲を測定し、測定された腹部皮下脂肪厚および腹部周径囲から腹部総脂肪面積を求め、これら腹部皮下脂肪面積および腹部総脂肪面積から腹部内臓脂肪面積を求めることを特徴とする方法が提供される。
【手続補正５】
【補正対象書類名】明細書
【補正対象項目名】００１２
【補正方法】変更
【補正の内容】
【００１２】
本発明のさらに別の観点によれば、人体の体脂肪分布を測定する装置において、腹部皮下脂肪厚を入力するための第１の入力手段と、この第１の入力手段からのデータに基づいて腹部皮下脂肪面積を演算するための演算手段とを備えることを特徴とする装置が提供される。
また、本発明のさらに別の観点によれば、人体の体脂肪分布を測定する装置において、腹部皮下脂肪厚を入力するための第１の入力手段と、腹部周径囲を入力するための第２の入力手段と、前記第１の入力手段および第２の入力手段からのデータに基づいて腹部皮下脂肪面積を演算するための演算手段とを備えることを特徴とする装置が提供される。
また、本発明のさらに別の観点によれば、人体の体脂肪分布を測定する装置において、腹部皮下脂肪厚を入力するための第１の入力手段と、腹部周径囲を入力するための第２の入力手段と、前記第１の入力手段および第２の入力手段からのデータに基づいて腹部内臓脂肪面積を演算するための演算手段とを備えることを特徴とする装置が提供される。
また、本発明のさらに別の観点によれば、人体の体脂肪分布を測定する装置において、腹部皮下脂肪厚を入力するための第１の入力手段と、腹部周径囲を入力するための第２の入力手段と、前記第１の入力手段からのデータに基づいて腹部皮下脂肪面積を演算し、前記第２の入力手段からのデータに基づいて腹部総脂肪面積を演算し、且つ、これら腹部皮下脂肪面積および腹部総脂肪面積から腹部内臓脂肪面積を演算するための演算手段とを備えることを特徴とする装置が提供される。
また、本発明のさらに別の観点によれば、人体の体脂肪分布を測定する装置において、腹部皮下脂肪厚を入力するための第１の入力手段と、腹部周径囲を入力するための第２の入力手段と、前記第１の入力手段および第２の入力手段からのデータに基づいて腹部皮下脂肪面積を演算し、前記第２の入力手段からのデータに基づいて腹部総脂肪面積を演算し、且つ、これら腹部皮下脂肪面積および腹部総脂肪面積から腹部内臓脂肪面積を演算するための演算手段とを備えることを特徴とする装置が提供される。
【手続補正６】
【補正対象書類名】明細書
【補正対象項目名】００１５
【補正方法】変更
【補正の内容】
【００１５】
本発明のさらに別の実施の形態によれば、性別、年令、身長等の個人的パラメータを入力する第３の入力手段をさらに備えると共に、前記演算手段が、前記腹部内臓脂肪面積または腹部皮下脂肪面積の演算において前記第３の入力手段からのデータに基づく補正を行う。